(57)【要約】      （修正有）【課題】バッグ内の内容物を入出する時に開口部を広げる必要が無く、バッグを肩にかけた状態でも内容物の入出が容易で、各種イベントで配布ができるように低コストで製造可能な簡易バッグを提供する。【解決手段】開口部が巾着状となった平袋であって、平袋本体側部に、内容物の入出が自在なファスナーを設けたことを特徴とする。また、巾着紐の先端が、平袋の底部又は底部近傍の平袋側部に連結固定されていても良い。ファスナーの形成位置は、平袋側部において、巾着紐の出口と連結固定部とを結ぶ線上又は線に沿って設けられていても良い。また、平袋は、一枚の方形状布部材を折り畳んでなり、折り畳み部を底部、折り畳み部と相対する平行な縁部を開口部、底部と開口部を結ぶ縁部を縫合部とし、ファスナーは、縫合部上に設けられているのが良い。【選択図】図２
0003115634.tif 000002
【実用新案登録請求の範囲】
【請求項１】
開口部が巾着状となった平袋であって、該平袋本体側部に、内容物の入出が自在なファスナーを設けたことを特徴とする簡易バッグ。
【請求項２】
前記巾着紐の先端が、前記平袋の底部又は底部近傍の平袋側部に連結固定されていることを特徴とする請求項１に記載の簡易バッグ。
【請求項３】
前記ファスナーは前記平袋側部において、前記巾着紐の出口と前記連結固定部とを結ぶ線上又は線に沿って設けられていることを特徴とする請求項１又は２に記載の簡易バッグ。
【請求項４】
前記平袋は、一枚の方形状布部材を折り畳んでなり、該折り畳み部を底部、該折り畳み部と相対する平行な縁部を開口部、該底部と該開口部を結ぶ縁部を縫合部とし、前記ファスナーは、前記縫合部上に設けられていることを特徴とする請求項１〜３のいずれかに記載の簡易バッグ。
【考案の詳細な説明】
【技術分野】
【０００１】
本考案は、製品等の宣伝広告・販売促進などを目的として、各種イベントで配布される簡易バッグに関するものである。
【背景技術】
【０００２】
各種イベントや催し物などが開催される時、宣伝広告や販売促進などを目的として、パンフレットや様々な試供品・提供品等を来場者に配布することがある。これらの提供品の中には、その会場でしか手に入らないものや、多種多様な提供品が貰えることもあり、大量に受け取って、扱いに困ることが多い。
【０００３】
そこで重宝されるのが、これらの提供品をまとめて入れることができる簡易バッグである。この簡易バッグには、把持部等の無いクリアシート型、手提げ袋型、ショルダーバッグ型のものがあるが、その中でも手提げ袋型、ショルダーバッグ型のものが多い。これらの簡易バッグは、提供品として配布する場合や、提供品の取り扱いに困っている人のために好意で配布される場合などがあるが、使用者が簡易バッグを持ち歩いてもらうだけで、効率的な広告宣伝となるため、非常に注目されている。
【０００４】
しかし、手提げ型簡易バッグの場合、常に手に持っていなければならないため、荷物が重くなると非常に負担となる。また、バッグを持った手は自由がなくなってしまうため、行動が制限されるという問題がある。特に、財布での支払いや、筆記用具を持って記載する時などは、手提げ型簡易バッグが非常に邪魔になってしまう。また、両手を使いたい時に、簡易バッグを地面に置いてそのまま忘れてしまうといった問題も生じていた。
【０００５】
これに対し、簡易ショルダーバッグは、肩にかけて背負うことができるため両手が自由になり行動が制限されにくく、荷物を放置して忘れてしまう心配が無いという利点を有している。従来配布されていた簡易ショルダーバッグは、開口部が巾着状となったもので、開口部を閉じた時に巾着紐に余剰ができ、巾着紐を肩にかけてバッグを背負うことができるという特徴を有していた。
【考案の開示】
【考案が解決しようとする課題】
【０００６】
しかし、従来の簡易ショルダーバッグは、開口部が巾着状になっているため、内容物を入出する際には、開口部を広げなければならない。特に、簡易ショルダーバッグを背負った状態のままでは、開口部を広げることができないため、肩から下ろす必要がある。しかし、提供品を受け取るたびに簡易ショルダーバッグを肩から下ろし、開口部を広げて提供品をバッグ内に入れ、開口部を締め、バッグを肩にかけるという動作を繰り返すのは、非常に面倒であるという問題があった。
【０００７】
また、簡易ショルダーバッグ内に収納された内容物を取り出す時も、開口部を広げて取り出す必要がある。大抵はバッグを肩から下ろし、床や机などの安定した土台上に置いて開口部を広げて取り出していた。しかし、床や机等が無い場合や、肩から下ろして探すのが面倒な場合は、バッグを肩にかけたまま、若干開口部を広げて手を入れ、探す時がある。しかし、巾着紐が肩にかかっているため、既に開口部の巾着が絞られた状態で、絶えず開口部が閉まってしまい、内容部を探しにくく、取り出しにくいという問題がある。
【０００８】
以上のことから、簡易ショルダーバッグ内の内容物の入出時に開口部を広げる必要が無く、バッグを肩にかけた状態でも内容物の入出が容易で、各種イベントでも配布ができる程に低コストで製造可能な簡易バッグの開発が望まれていた。
【課題を解決するための手段】
【０００９】
上記課題を解決するために本考案に係る簡易バッグは、開口部が巾着状となった平袋であって、平袋本体側部に、内容物の入出が自在なファスナーを設けたことを特徴とする。また、巾着紐の先端が、平袋の底部又は底部近傍の平袋側部に連結固定されていても良い。
【００１０】
また、ファスナーの形成位置は、平袋側部において、巾着紐の出口と連結固定部とを結ぶ線上又は線に沿って設けられていても良い。
【００１１】
また、平袋は、一枚の方形状布部材を折り畳んでなり、折り畳み部を底部、折り畳み部と相対する平行な縁部を開口部、底部と開口部を結ぶ縁部を縫合部とし、ファスナーは、縫合部上に設けられているのが良い。
【考案の効果】
【００１２】
本考案に係る簡易バッグは、開口部が巾着状となり、巾着紐の先端が、平袋の底部又は底部近傍の平袋側部に連結固定され、平袋本体側部にファスナーが設けられているため、開口部を閉じた状態でも内容物の入出が可能となる。
【００１３】
また、ファスナーは平袋側部において、巾着紐の出口と連結固定部とを結ぶ線上又は線に沿って設けられているため、簡易バッグを肩にかけた時にファスナーが使用者の脇口に位置し、簡易バッグをかけた肩とは逆の手でファスナーの開閉及び内容物の入出ができ、非常に利便性が高い。
【００１４】
また、平袋は、一枚の方形状布部材を折り畳んでなり、折り畳み部を底部、折り畳み部と相対する平行な縁部を開口部、底部と開口部を結ぶ縁部を縫合部とし、ファスナーは、縫合部上に設けられているため、製造が非常に容易で、コスト低減に貢献することができる。
【考案を実施するための最良の形態】
【００１５】
本考案に係る簡易バッグ２について、図を参照にしながら説明する。図１は、本考案に係る簡易バッグ２を示した説明図であり、図２は簡易バッグ２の開口部６を閉じた状態を示した説明図である。なお、これらの図は本考案を説明するためだけのものであり、本考案を何ら限定するものではない。
【００１６】
本考案に係る簡易バッグ２は、開口部６が巾着状となった平袋４であり、平袋４本体側部に、内容物の入出が自在なファスナー１２を設けたことを特徴とする。
【００１７】
図１に示された平袋４は、一対の側面が相対した形状になっている。この形状により、簡易バッグ２不使用時に折り畳んで小型化することができる。また、本考案に係る平袋４については、物品等を収納可能で有れば、その形状、構造、容積などについて特に限定背図、適宜設定すれば良い。
【００１８】
また、平袋４の開口部６は巾着状であるのが良い。開口部６を巾着状にすることで、開口部６を塞ぐ蓋部材を設ける必要が無くなり、部材数が減りコスト低減となる。また、巾着紐８の先端は、図１及び図２に示されたように、平袋４の底部１８又は底部１８近傍の平袋４側部に連結固定されているのが良い。これにより、巾着を絞って開口部６を閉じた時に巾着紐８に余剰が生じ、簡易バッグ２を肩にかけることができる。
【００１９】
巾着紐８の連結固定方法としては、図４（３）に示されたように、平袋４に貫通穴を設け、この貫通穴に巾着紐８を通して結び目を設けても良いし、貫通穴に巾着紐８を締結しても良い。また、巾着紐８の先端部にフック等の連結具を設けて連結固定しても良く、適宜設定すれば良い。
【００２０】
また、連結固定部１０の形成位置は、図１及び図２に示されたように、巾着紐８の出口の設けられた部位と同じ側の側部に設けられているのが良い。図１に示されたように、平袋４が方形状であった場合は、巾着紐８の出口から垂直落下方向の底部１８又は底部１８近傍の側部に設けられていると良い。
【００２１】
また、平袋４側部に設けられるファスナー１２は、平袋４側部において巾着紐８の出口と連結固定部１０とを結ぶ線上又は線に沿って設けられているのが良い。ファスナー１２をこの位置に設けることにより、簡易バッグ２を肩にかけた時、図５に示されたように、使用者の脇口にファスナー１２が位置する。この時、簡易バッグ２をかけた肩とは逆の手でファスナー１２の上下動が可能となり、簡易バッグ２を肩にかけたまま内容物の入出が可能となる。ファスナー１２の形成数、形成位置については、簡易バック２の形状・構造等の種々の条件を考慮して適宜設定すれば良い。
【００２２】
以上が本考案に係る簡易バッグ２についての説明であるが、本考案の目的を逸脱しない限り、種々の条件及び設定は変更が可能である。
【００２３】
次に、簡易バッグ２の製造方法について説明する。図３及び図４は本考案に係る簡易バッグ２の製造方法の一例を示した説明図である。本考案に係る簡易バッグ２としては、図３（１）に示されたような一枚の方形状布部材１４を折り畳み、側部を縫合して形成するのが良い。布部材１４の材質については、木綿、絹、麻、化学繊維、ビニール等を使用することができるが、コスト、成形の容易性などの種々の条件を考慮して適宜設定すれば良い。
【００２４】
布部材１４の形状は、必ずしも方形状である必要は無く、例えば台形状、多角形状、円形状など適宜設定すれば良い。この時、布部材１４は、折り畳み部１６を軸として対称に現れる形状であることが好ましい。
【００２５】
また、複数枚の布部材１４を縫合して平袋４としても良い。例えば、２枚の同じ形をした方形状布部材１４を一致させ、３つの辺を縫合すれば平袋４とすることができる。この時、底部１８に該当する箇所は、底が抜けないように強固に縫合するか、補強部材を設けるなどするのが良い。
【００２６】
また、折り畳み部１６は、図３（ａ）に示されたように単純に二つ折りでも良いが、図３（ｂ）に示されたように複数重に折り曲げても良い。折り曲げ部１６を複数重とすることで、平袋４に内容物を収納して膨張した時に底部１８が広がり、袋内の容量を増加させることができる。
【００２７】
布部材１４を折り曲げた後、図４（２）に示されたように、折り畳み部１６を底部１８、折り畳み部１６と相対する平行な縁部を開口部６、底部１８と開口部６を結ぶ縁部を縫合部２０とし、縫合部２０を縫合する。折り畳み部１６を底部１８とすることで、底が抜ける心配が無くなる。縫合部２０を底部１８としても良いが、底が抜けないよう強固に縫合するか、補強部材を設けるなどするのが好ましい。また、縫合部を２０を縫合する時、ファスナー１２を縫合部２０上に縫合する。この時、ファスナー１２は、巾着紐８の出口が設けられた側の縫合部２０上に設けるのが良い。
【００２８】
縫合部２０を縫合した後、図４（３）に示されたように、開口部６を巾着状とし、巾着紐８を貫通させ、平袋４底部に連結固定部１０を設ける。連結固定部１０に巾着紐８を固定すれば、簡易バッグ２が製造できる。
【００２９】
以上が本考案に係る簡易バッグ２の製造方法の一例であるが、簡易バッグ２の形状、構造等に応じて、部材の数量・種類、製造工程などは変更が可能である。
【図面の簡単な説明】
【００３０】
【図１】本考案に係る簡易バッグを示した説明図である。
【図２】本考案に係る簡易バッグで、開口部を閉じた状態を示した説明図である。
【図３】本考案に係る簡易バッグの製造方法の一例を示した説明図である。
【図４】本考案に係る簡易バッグの製造方法の一例を示した説明図である。
【図５】本考案に係る簡易バッグの使用状態を示した説明図である。
【符号の説明】
【００３１】
２  簡易バッグ
４  平袋
６  開口部
８  巾着紐
１０  連結固定部
１２  ファスナー
１４  布部材
１６  折り畳み部
１８  底部
２０  縫合部
【図１】
0003115634.tif 000003
【図２】
0003115634.tif 000004
【図３】
0003115634.tif 000005
【図４】
0003115634.tif 000006
【図５】
0003115634.tif 000007